【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
プロセッサによって、第１の探索空間のための第１の探索空間構成を識別することと、  前記プロセッサによって、前記第１の探索空間構成に少なくとも部分的に基づいて、第２の探索空間のための第２の探索空間構成を設定することと、前記設定することは、
第１のＴＴＩ中で、前記第２の探索空間のための周波数帯域を、前記第１の探索空間の周波数帯域と重複する第１の周波数帯域に等しく設定することと、
第２のＴＴＩ中で、前記第２の探索空間のための前記周波数帯域を、前記第１の探索空間の前記周波数帯域と重複しない第２の周波数帯域に等しく設定することと
を備え、
前記プロセッサによって、前記第１の探索空間と前記第２の探索空間とのうちの少なくとも１つ中で制御情報をモバイルデバイスに送信することと
を備える、方法。
【請求項２】
前記第１の探索空間は、ユニキャスト制御情報が前記モバイルデバイスによって取り出され(retrieved)得る１つまたは複数のロケーションを備え、前記第２の探索空間は、２つ以上のモバイルデバイスのための制御情報が前記モバイルデバイスによって取り出され得る１つまたは複数のロケーションを備える、請求項１に記載の方法。
【請求項３】
設定することが、前記第２の探索空間のための周波数帯域を、前記第１の探索空間の周波数帯域と重複する第１の周波数帯域に等しく設定することを含む、請求項１に記載の方法。
【請求項４】
前記第１の探索空間が、前記モバイルデバイスの識別子に基づいて設定された候補を含み、設定することが、前記モバイルデバイスの前記識別子を含まないパラメータに基づいて、前記第２の探索空間の候補を設定することを備える、請求項１に記載の方法。
【請求項５】
前記第１の探索空間が第１の数の候補を含み、前記第２の探索空間が第２の数の候補を含む、請求項１に記載の方法。
【請求項６】
送信することは、アップリンク送信のための許可と、ダウンリンク送信のための許可と、フォールバック制御情報を含むフォールバック許可と、送信機電力制御（ＴＰＣ）情報と、メッセージが正しく受信されたのか誤って受信されたのかを示す、肯定応答または否定応答とのうちの少なくとも１つを送信することを含む、請求項１に記載の方法。
【請求項７】
カバレージ拡張レベルを決定することをさらに備え、ここにおいて、第２の探索空間を設定することが、前記決定されたカバレージ拡張レベルに少なくとも部分的に基づく、請求項１に記載の方法。
【請求項８】
制御情報を送信することは、
第１の送信モードに従って第１のメッセージを送信することと、
第２の送信モードに従って第２のメッセージを送信することと、ここにおいて、前記第２のメッセージが、前記第１のメッセージ中の情報とともに処理すべき情報を含み、ここにおいて、前記第２のメッセージが前記第１のメッセージ中で送信される前記情報を含む、
を備える、請求項１に記載の方法。
【請求項９】
前記第２のメッセージ中の前記情報が、データを復号するために使用すべきプリコーディング行列と、データを復号するために使用すべきスクランブリングシーケンスとのうちの少なくとも１つを指定する、請求項８に記載の方法。
【請求項１０】
前記第２のメッセージ中の前記情報は、前記モバイルデバイスに、前記モバイルデバイスが、前記プリコーディング行列と前記スクランブリングシーケンスとのうちの少なくとも１つに関する情報をどこで受信し得るかを通知する情報を含む、請求項９に記載の方法。
【請求項１１】
制御情報を送信することが、
前記第１の探索空間中で、第１の送信モードに関連付けられた制御情報を送信することと、
前記第２の探索空間中で、第２の送信モードに関連付けられた制御情報を送信することと
を備える、請求項１に記載の方法。
【請求項１２】
前記設定することは、受信のために前記モバイルデバイスによって必要とされる送信電力に少なくとも部分的に基づいて、第１の探索空間のための第１の探索空間構成と、第２の探索空間のための第２の探索空間構成とを設定することをさらに備え、ここにおいて、前記第１の探索空間は、ユニキャスト制御情報が前記モバイルデバイスによって取り出され得る１つまたは複数のロケーションを備え、ここにおいて、前記第２の探索空間は、２つ以上のモバイルデバイスのための制御情報が前記モバイルデバイスによって取り出され得る１つまたは複数のロケーションを備える、請求項１に記載の方法。
【請求項１３】
前記第１の探索空間中で前記モバイルデバイスに制御情報を第１の回数再送信することと、ここにおいて、再送信するための前記第１の回数が、前記モバイルデバイスによって受信のために必要とされる前記送信電力に基づいて決定され、
前記第２の探索空間中で前記モバイルデバイスに制御情報を第２の回数再送信することと、ここにおいて、再送信するための前記第２の回数が、複数のモバイルデバイスによって受信のために必要とされる前記送信電力に基づいて決定され、
ここにおいて、前記第２の回数が前記第１の回数とは異なり、
ここにおいて、前記複数のモバイルデバイスは、前記複数のモバイルデバイスの各々に関連付けられた繰返しレベルに基づいてグループ化される、
をさらに備える、請求項１２に記載の方法。
【請求項１４】
基地局におけるワイヤレス通信のために構成された装置であって、
プロセッサによって、第１の探索空間のための第１の探索空間構成を識別するための手段と、
前記プロセッサによって、前記第１の探索空間構成に少なくとも部分的に基づいて、第２の探索空間のための第２の探索空間構成を設定するための手段と、前記設定するための手段は、
第１のＴＴＩ中で、前記第２の探索空間のための周波数帯域を、前記第１の探索空間の周波数帯域と重複する第１の周波数帯域に等しく設定するための手段と、
第２のＴＴＩ中で、前記第２の探索空間のための前記周波数帯域を、前記第１の探索空間の前記周波数帯域と重複しない第２の周波数帯域に等しく設定するための手段と
を備え、
前記プロセッサによって、前記第１の探索空間と前記第２の探索空間とのうちの少なくとも１つ中で制御情報をモバイルデバイスに送信するための手段と
を備える、装置。
【請求項１５】
プログラムコードを記録した、基地局における非一時的コンピュータ可読媒体であって、前記プログラムコードが、
コンピュータに、第１の探索空間のための第１の探索空間構成を識別させるためのプログラムコードと、
コンピュータに、前記第１の探索空間構成に少なくとも部分的に基づいて、第２の探索空間のための第２の探索空間構成を設定させるためのプログラムコードと、コンピュータに設定させるための前記プログラムコードは、
コンピュータに、第１のＴＴＩ中で、前記第２の探索空間のための周波数帯域を、前記第１の探索空間の周波数帯域と重複する第１の周波数帯域に等しく設定させるためのプログラムコードと、
コンピュータに、第２のＴＴＩ中で、前記第２の探索空間のための前記周波数帯域を、前記第１の探索空間の前記周波数帯域と重複しない第２の周波数帯域に等しく設定させるためのプログラムコードと
を備え、
コンピュータに、前記第１の探索空間と前記第２の探索空間とのうちの少なくとも１つ中で制御情報をモバイルデバイスに送信させるためのプログラムコードと
を備える、非一時的コンピュータ可読媒体。
【手続補正２】
【補正対象書類名】明細書
【補正対象項目名】０１１７
【補正方法】変更
【補正の内容】
【０１１７】
[00127]本開示についての以上の説明は、いかなる当業者も本開示を作成または使用することができるように与えたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］  ワイヤレス通信の方法であって、
プロセッサによって、第１の探索空間のための第１の探索空間構成を識別することと、  前記プロセッサによって、前記第１の探索空間構成に少なくとも部分的に基づいて、第２の探索空間のための第２の探索空間構成を設定することと、および
前記プロセッサによって、前記第１の探索空間と前記第２の探索空間とのうちの少なくとも１つ中で制御情報をモバイルデバイスに送信することと
を備える、方法。
［Ｃ２］  前記第１の探索空間は、ユニキャスト制御情報が前記モバイルデバイスによって取り出され(retrieved)得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、Ｃ１に記載の方法。
［Ｃ３］  設定することが、前記第２の探索空間のための周波数帯域を、前記第１の探索空間の周波数帯域と重複する第１の周波数帯域に等しく設定することを含む、Ｃ１に記載の方法。
［Ｃ４］  設定することは、
第１のＴＴＩ中で、前記第２の探索空間のための周波数帯域を、前記第１の探索空間の周波数帯域と重複する第１の周波数帯域に等しく設定することと、および
第２のＴＴＩ中で、前記第２の探索空間のための前記周波数帯域を、前記第１の探索空間の前記周波数帯域と重複しない第２の周波数帯域に等しく設定することと
を含む、Ｃ１に記載の方法。
［Ｃ５］  前記第１の探索空間が、前記モバイルデバイスの識別子に基づいて設定された候補を含み、および  ここにおいて、設定することが、前記モバイルデバイスの前記識別子を含まないパラメータに基づいて、前記第２の探索空間の候補を設定することを備える、Ｃ１に記載の方法。
［Ｃ６］  前記第１の探索空間が第１の数の候補を含み、前記第２の探索空間が第２の数の候補を含む、Ｃ１に記載の方法。
［Ｃ７］  送信することは、アップリンク送信のための許可と、ダウンリンク送信のための許可と、フォールバック制御情報を含むフォールバック許可と、送信機電力制御（ＴＰＣ）情報と、メッセージが正しく受信されたのか誤って受信されたのかを示す、肯定応答または否定応答とのうちの少なくとも１つを送信することを含む、Ｃ１に記載の方法。
［Ｃ８］  カバレージ拡張レベルを決定することをさらに備え、および  ここにおいて、第２の探索空間を設定することが、前記決定されたカバレージ拡張レベルに少なくとも部分的に基づく、Ｃ１に記載の方法。
［Ｃ９］  制御情報を送信することは、
第１の送信モードに従って第１のメッセージを送信することと、および
第２の送信モードに従って第２のメッセージを送信することと、ここにおいて、前記第２のメッセージが、前記第１のメッセージ中の情報とともに処理すべき情報を含み、および  ここにおいて、前記第２のメッセージが前記第１のメッセージ中の前記情報を含む、を備える、Ｃ１に記載の方法。
［Ｃ１０］  前記第２のメッセージ中の前記情報が、データを復号するために使用すべきプリコーディング行列と、データを復号するために使用すべきスクランブリングシーケンスとのうちの少なくとも１つを指定する、Ｃ９に記載の方法。
［Ｃ１１］  前記第２のメッセージ中の前記情報は、前記モバイルデバイスに、前記モバイルデバイスが、前記プリコーディング行列と前記スクランブリングシーケンスとのうちの少なくとも１つに関する情報をどこで受信し得るかを通知する情報を含む、Ｃ１０に記載の方法。
［Ｃ１２］  制御情報を送信することが、
前記第１の探索空間中で、第１の送信モードに関連付けられた制御情報を送信することと、および
前記第２の探索空間中で、第２の送信モードに関連付けられた制御情報を送信することと
を備える、Ｃ１に記載の方法。
［Ｃ１３］  ワイヤレス通信のために構成された装置であって、
プロセッサによって、第１の探索空間のための第１の探索空間構成を識別するための手段と、
前記プロセッサによって、前記第１の探索空間構成に少なくとも部分的に基づいて、第２の探索空間のための第２の探索空間構成を設定するための手段と、および
前記プロセッサによって、前記第１の探索空間と前記第２の探索空間とのうちの少なくとも１つ中で制御情報をモバイルデバイスに送信するための手段と
を備える、装置。
［Ｃ１４］  プログラムコードを記録した非一時的コンピュータ可読媒体であって、前記プログラムコードが、
コンピュータに、第１の探索空間のための第１の探索空間構成を識別させるためのプログラムコードと、
コンピュータに、前記第１の探索空間構成に少なくとも部分的に基づいて、第２の探索空間のための第２の探索空間構成を設定させるためのプログラムコードと、および
コンピュータに、前記第１の探索空間と前記第２の探索空間とのうちの少なくとも１つ中で制御情報をモバイルデバイスに送信させるためのプログラムコードと
を備える、非一時的コンピュータ可読媒体。
［Ｃ１５］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサが、
第１の探索空間のための第１の探索空間構成を識別することと、
前記第１の探索空間構成に少なくとも部分的に基づいて、第２の探索空間のための第２の探索空間構成を設定することと、および
前記第１の探索空間と前記第２の探索空間とのうちの少なくとも１つ中で制御情報をモバイルデバイスに送信することと
を行うように構成された、装置。
［Ｃ１６］  前記第１の探索空間は、ユニキャスト制御情報が前記モバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、Ｃ１５に記載の装置。
［Ｃ１７］  前記プロセッサが、前記第２の探索空間のための周波数帯域を、前記第１の探索空間の周波数帯域と重複する第１の周波数帯域に等しく設定するようにさらに構成された、Ｃ１５に記載の装置。
［Ｃ１８］  前記プロセッサが、
第１のサブフレーム中で、前記第２の探索空間のための周波数帯域を、前記第１の探索空間の周波数帯域と重複する第１の周波数帯域に等しく設定することと、および
第２のサブフレーム中で、前記第２の探索空間のための前記周波数帯域を、前記第１の探索空間の前記周波数帯域と重複しない第２の周波数帯域に等しく設定することと
を行うようにさらに構成された、Ｃ１５に記載の装置。
［Ｃ１９］  前記第１の探索空間が、前記モバイルデバイスの識別子に基づいて設定された候補を含み、および  ここにおいて、設定することが、前記モバイルデバイスの前記識別子を含まないパラメータに基づいて、前記第２の探索空間の候補を設定することを備える、Ｃ１５に記載の装置。
［Ｃ２０］  前記第１の探索空間が第１の数の候補を含み、前記第２の探索空間が第２の数の候補を含む、Ｃ１５に記載の装置。
［Ｃ２１］  送信するように構成された前記プロセッサは、アップリンク送信のための許可と、ダウンリンク送信のための許可と、フォールバック制御情報を含むフォールバック許可と、送信機電力制御（ＴＰＣ）情報と、メッセージが正しく受信されたのか誤って受信されたのかを示す、肯定応答または否定応答とのうちの少なくとも１つを送信するように構成された前記プロセッサを備える、Ｃ１５に記載の装置。
［Ｃ２２］  前記プロセッサが、カバレージ拡張レベルを決定するように構成され、および  ここにおいて、第２の探索空間を設定することが、前記決定されたカバレージ拡張レベルに少なくとも部分的に基づく、Ｃ１５に記載の装置。
［Ｃ２３］  送信するように構成された前記プロセッサは、
第１の送信モードに従って第１のメッセージを送信するように構成された前記プロセッサと、
第２の送信モードに従って第２のメッセージを送信するように構成された前記プロセッサと、ここにおいて、前記第２のメッセージが、前記第１のメッセージ中の情報とともに処理すべき情報を含み、および  ここにおいて、前記第２のメッセージが前記第１のメッセージ中の前記情報を含む、
を備える、Ｃ１５に記載の装置。
［Ｃ２４］  前記第２のメッセージ中の前記情報が、データを復号するために使用すべきプリコーディング行列と、データを復号するために使用すべきスクランブリングシーケンスとのうちの少なくとも１つを指定する、Ｃ２３に記載の装置。
［Ｃ２５］  前記第２のメッセージ中の前記情報は、前記モバイルデバイスに、前記モバイルデバイスが、前記プリコーディング行列と前記スクランブリングシーケンスとのうちの少なくとも１つに関する情報をどこで受信し得るかを通知する情報を含む、Ｃ２４に記載の装置。
［Ｃ２６］  送信するように構成された前記プロセッサが、
前記第１の探索空間中で、第１の送信モードに関連付けられた制御情報を送信するように構成された前記プロセッサと、および
前記第２の探索空間中で、第２の送信モードに関連付けられた制御情報を送信するように構成された前記プロセッサと
を備える、Ｃ１５に記載の装置。
［Ｃ２７］  ワイヤレス通信の方法であって、
プロセッサによって、受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記プロセッサによって、前記第１の探索空間と前記第２の探索空間とのうちの少なくとも１つ中で制御情報を前記モバイルデバイスに送信することと
を備える、方法。
［Ｃ２８］  前記第１の探索空間中で前記モバイルデバイスに制御情報を第１の回数再送信することをさらに含み、ここにおいて、再送信するための前記第１の回数が、前記モバイルデバイスによって受信のために必要とされる前記送信電力に基づいて決定される、Ｃ２７に記載の方法。
［Ｃ２９］  前記第２の探索空間中で前記モバイルデバイスに制御情報を第２の回数再送信することをさらに含み、ここにおいて、再送信するための前記第２の回数が、複数のモバイルデバイスによって受信のために必要とされる前記送信電力に基づいて決定され、および  ここにおいて、前記第２の回数が前記第１の回数とは異なる、Ｃ２８に記載の方法。
［Ｃ３０］  ワイヤレス通信のために構成された装置であって、
プロセッサによって、受信のためにモバイルデバイスによって必要とされる送信電力に少なくとも部分的に基づいて、第１の探索空間のための第１の探索空間構成と、第２の探索空間のための第２の探索空間構成とを設定するための手段と、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記プロセッサによって、前記第１の探索空間と前記第２の探索空間とのうちの少なくとも１つ中で制御情報を前記モバイルデバイスに送信するための手段と
を備える、装置。
［Ｃ３１］  プログラムコードを記録した非一時的コンピュータ可読媒体であって、前記プログラムコードは、
コンピュータに、受信のためにモバイルデバイスによって必要とされる送信電力に少なくとも部分的に基づいて、第１の探索空間のための第１の探索空間構成と、第２の探索空間のための第２の探索空間構成とを設定させるためのプログラムコードと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
コンピュータに、前記第１の探索空間と前記第２の探索空間とのうちの少なくとも１つ中で制御情報を前記モバイルデバイスに送信させるためのプログラムコードと
を備える、非一時的コンピュータ可読媒体。
［Ｃ３２］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
受信のためにモバイルデバイスによって必要とされる送信電力に少なくとも部分的に基づいて、第１の探索空間のための第１の探索空間構成と、第２の探索空間のための第２の探索空間構成とを設定することと、ここにおいて、前記第１の探索空間は、ユニキャスト制御情報が前記モバイルデバイスによって取り出され得る１つまたは複数のロケーションを備え、および  ここにおいて、前記第２の探索空間は、２つ以上のモバイルデバイスのための制御情報が前記モバイルデバイスによって取り出され得る１つまたは複数のロケーションを備える、および
前記第１の探索空間と前記第２の探索空間とのうちの少なくとも１つ中で制御情報を前記モバイルデバイスに送信することと
を行うように構成された、装置。
［Ｃ３３］  前記少なくとも１つのプロセッサが、前記第１の探索空間中で前記モバイルデバイスに制御情報を第１の回数再送信するようにも構成され、ここにおいて、再送信するための前記第１の回数が、前記モバイルデバイスによって受信のために必要とされる前記送信電力に基づいて決定される、Ｃ３２に記載の装置。
［Ｃ３４］  前記少なくとも１つのプロセッサが、前記第２の探索空間中で前記モバイルデバイスに制御情報を第２の回数再送信するようにも構成され、ここにおいて、再送信するための前記第２の回数が、複数のモバイルデバイスによって受信のために必要とされる前記送信電力に基づいて決定され、および  ここにおいて、前記第２の回数が前記第１の回数とは異なる、Ｃ３３に記載の装置。
［Ｃ３５］  ワイヤレス通信の方法であって、
プロセッサによって、第１の探索空間を識別することと、
前記プロセッサによって、第２の探索空間を識別することと、および
前記プロセッサによって、時分割多重パターンに基づいて前記第１の探索空間と前記第２の探索空間とを監視することと
を備える、方法。
［Ｃ３６］  カバレージ拡張レベルを決定することをさらに備え、および  ここにおいて、前記第２の探索空間を識別することが、前記決定されたカバレージ拡張レベルに少なくとも部分的に基づく、Ｃ３５に記載の方法。
［Ｃ３７］  前記第１の探索空間は、ユニキャスト制御情報がモバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、Ｃ３５に記載の方法。
［Ｃ３８］  監視することは、
前記プロセッサが復号することが可能である、前記第１の探索空間中のユニキャスト制御情報について、前記第１の探索空間を監視することと、
前記プロセッサが復号することが可能であるユニキャスト制御情報がその間に前記第１の探索空間中に存在しない第１の時間間隔がいつ経過したかを決定することと、および  前記第１の時間間隔が経過したと決定すると、前記第２の探索空間を監視することとを含む、Ｃ３５に記載の方法。
［Ｃ３９］  監視することは、
信号対雑音比（ＳＮＲ）値を決定することと、
前記ＳＮＲ値がしきい値を超えると決定すると、前記第１の探索空間を監視することと、および
前記ＳＮＲ値がしきい値を超えないと決定すると、前記第２の探索空間を監視することと
を含む、Ｃ３５に記載の方法。
［Ｃ４０］  ワイヤレス通信のために構成された装置であって、
プロセッサによって、第１の探索空間を識別するための手段と、
前記プロセッサによって、第２の探索空間を識別するための手段と、および
前記プロセッサによって、時分割多重パターンに基づいて前記第１の探索空間と前記第２の探索空間とを監視するための手段と
を備える、装置。
［Ｃ４１］  プログラムコードを記録した非一時的コンピュータ可読媒体であって、前記プログラムコードが、
コンピュータに、第１の探索空間を識別させるためのプログラムコードと、
コンピュータに、第２の探索空間を識別させるためのプログラムコードと、および
コンピュータに、時分割多重パターンに基づいて前記第１の探索空間と前記第２の探索空間とを監視させるためのプログラムコードと
を備える、非一時的コンピュータ可読媒体。
［Ｃ４２］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサが、
第１の探索空間を識別することと、
第２の探索空間を識別することと、および
時分割多重パターンに基づいて前記第１の探索空間と前記第２の探索空間とを監視することと
を行うように構成された、装置。
［Ｃ４３］  前記少なくとも１つのプロセッサが、カバレージ拡張レベルを決定するようにも構成され、および  ここにおいて、前記第２の探索空間を識別することが、前記決定されたカバレージ拡張レベルに少なくとも部分的に基づく、Ｃ４２に記載の装置。
［Ｃ４４］  前記第１の探索空間は、ユニキャスト制御情報がモバイルデバイスによって取り出され得る１つまたは複数のロケーションを備え、および  ここにおいて  前記第２の探索空間は、２つ以上のモバイルデバイスのための制御情報が前記モバイルデバイスによって取り出され得る１つまたは複数のロケーションを備える、Ｃ４２に記載の装置。
［Ｃ４５］  前記少なくとも１つのプロセッサは、
前記プロセッサが復号することが可能である、前記第１の探索空間中のユニキャスト制御情報について、前記第１の探索空間を監視することと、
前記プロセッサが復号することが可能であるユニキャスト制御情報がその間に前記第１の探索空間中に存在しない第１の時間間隔がいつ経過したかを決定することと、および  前記第１の時間間隔が経過したと決定すると、前記第２の探索空間を監視することとを行うようにも構成された、Ｃ４２に記載の装置。
［Ｃ４６］  前記少なくとも１つのプロセッサは、
信号対雑音比（ＳＮＲ）値を決定することと、
前記ＳＮＲ値がしきい値を超えると決定すると、前記第１の探索空間を監視することと、および
前記ＳＮＲ値がしきい値を超えないと決定すると、前記第２の探索空間を監視することと
を行うようにも構成された、Ｃ４２に記載の装置。
［Ｃ４７］  ワイヤレス通信の方法であって、
モバイルデバイスによって、第１の送信モードまたは第２の送信モードに従ってメッセージを受信する、前記モバイルデバイスの能力を示すメッセージを送信することと、
前記モバイルデバイスを、前記第１の送信モードに従ってメッセージを受信し、前記第２の送信モードに従ってメッセージを受信するように構成することと、
通信チャネル中のメッセージが前記第１の送信モードに関連付けられたのか前記第２の送信モードに関連付けられたのかを決定することと、および
前記メッセージを受信し、前記メッセージが前記第１の送信モードに関連付けられたのか前記第２の送信モードに関連付けられたのかの前記決定に基づいて、前記受信されたメッセージを処理することと
を備える、方法。
［Ｃ４８］  ワイヤレス通信のために構成された装置であって、
モバイルデバイスによって、第１の送信モードまたは第２の送信モードに従ってメッセージを受信する、前記モバイルデバイスの能力を示すメッセージを送信するための手段と、
前記モバイルデバイスを、前記第１の送信モードに従ってメッセージを受信し、前記第２の送信モードに従ってメッセージを受信するように構成するための手段と、
通信チャネル中のメッセージが前記第１の送信モードに関連付けられたのか前記第２の送信モードに関連付けられたのかを決定するための手段と、および
前記メッセージを受信し、前記メッセージが前記第１の送信モードに関連付けられたのか前記第２の送信モードに関連付けられたのかの前記決定に基づいて、前記受信されたメッセージを処理するための手段と
を備える、装置。
［Ｃ４９］  プログラムコードを記録した非一時的コンピュータ可読媒体であって、前記プログラムコードは、
コンピュータに、第１の送信モードまたは第２の送信モードに従ってメッセージを受信する、前記モバイルデバイスの能力を示すメッセージを送信させるためのプログラムコードと、
コンピュータに、前記モバイルデバイスを、前記第１の送信モードに従ってメッセージを受信し、前記第２の送信モードに従ってメッセージを受信するように構成させるためのプログラムコードと、
コンピュータに、通信チャネル中のメッセージが前記第１の送信モードに関連付けられたのか前記第２の送信モードに関連付けられたのかを決定させるためのプログラムコードと、および
コンピュータに、前記メッセージを受信させ、前記メッセージが前記第１の送信モードに関連付けられたのか前記第２の送信モードに関連付けられたのかの前記決定に基づいて、前記受信されたメッセージを処理させるためのプログラムコードと
を備える、非一時的コンピュータ可読媒体。
［Ｃ５０］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
第１の送信モードまたは第２の送信モードに従ってメッセージを受信する、モバイルデバイスの能力を示すメッセージを送信することと、
前記モバイルデバイスを、前記第１の送信モードに従ってメッセージを受信し、前記第２の送信モードに従ってメッセージを受信するように構成することと、
通信チャネル中のメッセージが前記第１の送信モードに関連付けられたのか前記第２の送信モードに関連付けられたのかを決定することと、および
前記メッセージを受信し、前記メッセージが前記第１の送信モードに関連付けられたのか前記第２の送信モードに関連付けられたのかの前記決定に基づいて、前記受信されたメッセージを処理することと
を行うように構成された、装置。
［Ｃ５１］  ワイヤレス通信の方法であって、
モバイルデバイスを、第１の送信モードに従ってメッセージを受信し、第２の送信モードに従ってメッセージを受信するように構成することと、
前記第２の送信モードに関連付けられたメッセージについて通信チャネルを監視することと、
前記第２の送信モードに関連付けられたメッセージがその間に存在しない第１の時間間隔がいつ経過したかを決定することと、および
前記第１の時間間隔が経過したと決定すると、前記第１の送信モードに関連付けられたメッセージについて前記通信チャネルを監視することと
を備える、方法。
［Ｃ５２］  信号対雑音比（ＳＮＲ）値を決定することと、
前記ＳＮＲ値がしきい値を超えると決定すると、前記第２の送信モードに関連付けられたメッセージについて通信チャネルを監視することと、および
前記ＳＮＲ値がしきい値を超えないと決定すると、前記第１の送信モードに関連付けられたメッセージについて前記通信チャネルを監視することと
をさらに備える、Ｃ５１に記載の方法。
［Ｃ５３］  ワイヤレス通信のために構成された装置であって、
モバイルデバイスを、第１の送信モードに従ってメッセージを受信し、第２の送信モードに従ってメッセージを受信するように構成するための手段と、
前記第２の送信モードに関連付けられたメッセージについて通信チャネルを監視するための手段と、
前記第２の送信モードに関連付けられたメッセージがその間に存在しない第１の時間間隔がいつ経過したかを決定するための手段と、および
前記第１の時間間隔が経過したと決定すると、前記第１の送信モードに関連付けられたメッセージについて前記通信チャネルを監視するための手段と
を備える、装置。
［Ｃ５４］  プログラムコードを記録した非一時的コンピュータ可読媒体であって、前記プログラムコードは、
コンピュータに、モバイルデバイスを、第１の送信モードに従ってメッセージを受信し、第２の送信モードに従ってメッセージを受信するように構成させるためのプログラムコードと、
コンピュータに、前記第２の送信モードに関連付けられたメッセージについて通信チャネルを監視させるためのプログラムコードと、
コンピュータに、前記第２の送信モードに関連付けられたメッセージがその間に存在しない第１の時間間隔がいつ経過したかを決定させるためのプログラムコードと、および  コンピュータに、前記第１の時間間隔が経過したと決定すると、前記第１の送信モードに関連付けられたメッセージについて前記通信チャネルを監視させるためのプログラムコードと
を備える、非一時的コンピュータ可読媒体。
［Ｃ５５］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
モバイルデバイスを、第１の送信モードに従ってメッセージを受信し、第２の送信モードに従ってメッセージを受信するように構成することと、
前記第２の送信モードに関連付けられたメッセージについて通信チャネルを監視することと、
前記第２の送信モードに関連付けられたメッセージがその間に存在しない第１の時間間隔がいつ経過したかを決定することと、および
前記第１の時間間隔が経過したと決定すると、前記第１の送信モードに関連付けられたメッセージについて前記通信チャネルを監視することと
を行うように構成された、装置。
［Ｃ５６］  前記少なくとも１つのプロセッサは、
信号対雑音比（ＳＮＲ）値を決定することと、
前記ＳＮＲ値がしきい値を超えると決定すると、前記第２の送信モードに関連付けられたメッセージについて通信チャネルを監視することと、および
前記ＳＮＲ値がしきい値を超えないと決定すると、前記第１の送信モードに関連付けられたメッセージについて前記通信チャネルを監視することと
を行うようにも構成された、Ｃ５５に記載の装置。
［Ｃ５７］  ワイヤレス通信の方法であって、
モバイルデバイスを、第１の送信モードに従ってメッセージを受信するように構成することと、
前記第１の送信モードに従って第１のメッセージを受信することと、および
前記第１のメッセージ中で受信された情報とともに処理すべき情報を含む第２のメッセージを受信することと、ここにおいて、第２の送信モードに従って受信されたメッセージが、前記第１のメッセージ中で受信された前記情報と、前記第２のメッセージ中で受信された前記情報とを含む、
を備える、方法。
［Ｃ５８］  前記第２のメッセージ中の前記情報が、データを復号するために使用すべきプリコーディング行列を指定する、Ｃ５７に記載の方法。
［Ｃ５９］  前記第２のメッセージ中の前記情報は、前記モバイルデバイスに、前記モバイルデバイスが、データを復号するために使用すべき前記プリコーディング行列に関する情報をどこで受信し得るかを通知する情報を含む、Ｃ５８に記載の方法。
［Ｃ６０］  前記第２のメッセージ中の前記情報が、データを復号するために使用すべきスクランブリングシーケンスを指定する、Ｃ５７に記載の方法。
［Ｃ６１］  前記第２のメッセージ中の前記情報は、前記モバイルデバイスに、前記モバイルデバイスが、データを復号するために使用すべき前記スクランブリングシーケンスに関する情報をどこで受信し得るかを通知する情報を含む、Ｃ６０に記載の方法。
［Ｃ６２］  ワイヤレス通信のために構成された装置であって、
モバイルデバイスを、第１の送信モードに従ってメッセージを受信するように構成するための手段と、
前記第１の送信モードに従って第１のメッセージを受信するための手段と、および
前記第１のメッセージ中で受信された情報とともに処理すべき情報を含む第２のメッセージを受信するための手段と、ここにおいて、第２の送信モードに従って受信されたメッセージが、前記第１のメッセージ中で受信された前記情報と、前記第２のメッセージ中で受信された前記情報とを含む、
を備える、装置。
［Ｃ６３］  プログラムコードを記録した非一時的コンピュータ可読媒体であって、前記プログラムコードは、
コンピュータに、モバイルデバイスを、第１の送信モードに従ってメッセージを受信するように構成させるためのプログラムコードと、
コンピュータに、前記第１の送信モードに従って第１のメッセージを受信させるためのプログラムコードと、および
コンピュータに、前記第１のメッセージ中で受信された情報とともに処理すべき情報を含む第２のメッセージを受信させるためのプログラムコードと、ここにおいて、第２の送信モードに従って受信されたメッセージが、前記第１のメッセージ中で受信された前記情報と、前記第２のメッセージ中で受信された前記情報とを含む、
を備える、非一時的コンピュータ可読媒体。
［Ｃ６４］  ワイヤレス通信のために構成された装置であって、前記装置が、
少なくとも１つのプロセッサと、および
前記少なくとも１つのプロセッサに結合されたメモリと
を備え、
ここにおいて、前記少なくとも１つのプロセッサは、
モバイルデバイスを、第１の送信モードに従ってメッセージを受信するように構成することと、
前記第１の送信モードに従って第１のメッセージを受信することと、および
前記第１のメッセージ中で受信された情報とともに処理すべき情報を含む第２のメッセージを受信することと、ここにおいて、第２の送信モードに従って受信されたメッセージが、前記第１のメッセージ中で受信された前記情報と、前記第２のメッセージ中で受信された前記情報とを含む、
を行うように構成された、装置。
［Ｃ６５］  前記第２のメッセージ中の前記情報が、データを復号するために使用すべきプリコーディング行列を指定する、Ｃ６４に記載の装置。
［Ｃ６６］  前記第２のメッセージ中の前記情報は、前記モバイルデバイスに、前記モバイルデバイスが、データを復号するために使用すべき前記プリコーディング行列に関する情報をどこで受信し得るかを通知する情報を含む、Ｃ６５に記載の装置。
［Ｃ６７］  前記第２のメッセージ中の前記情報が、データを復号するために使用すべきスクランブリングシーケンスを指定する、Ｃ６４に記載の装置。
［Ｃ６８］  前記第２のメッセージ中の前記情報は、前記モバイルデバイスに、前記モバイルデバイスが、データを復号するために使用すべき前記スクランブリングシーケンスに関する情報をどこで受信し得るかを通知する情報を含む、Ｃ６７に記載の装置。